(57)【要約】内視鏡デバイスのためのアダプタは、（ａ）中心軸に沿って第１の端部から第２の端部まで延びている円筒形コアと、（ｂ）コアを覆ってスライド可能に受け取られているカラーとを含む。第２の端部は、軸に向かって、かつ軸から離れるように半径方向に拡張可能である第１および第２のアームを画定する第１および第２のスロットを含む。第２の端部は、生検デバイスの第１の導管の端部を係合するようにサイズおよび寸法決定される。カラーは、第１の端部から第２の端部まで延び、カラーの第２の端部がアームから軸方向に離されている第１の位置から、カラーの一部がアームを覆って位置付けられ、アームを半径方向に圧縮し、アームの間に位置付けられた第１の導管の自由端を係止握持し、第１の導管の周りに液密シールを生成する第２の位置に移動可能である。
2015534479.tif 000002
【特許請求の範囲】
【請求項１】
内視鏡デバイスのためのアダプタであって、
中心軸に沿って第１の端部から第２の端部まで延びている円筒形コアであって、前記第２の端部は、第１および第２のアームを画定する第１および第２のスロットを含み、前記アームは、前記中心軸に向かって、および前記中心軸から離れるように半径方向に拡張可能であり、前記第２の端部は、生検デバイスの第１の導管の端部を係合するようにサイズおよび寸法決定されている、円筒形コアと、
前記コアを覆ってスライド可能に受け取られているカラーと
を備え、
前記カラーは、第１の端部から第２の端部まで延び、前記カラーの第２の端部が前記アームから軸方向に離されている第１の位置から、前記カラーの一部が前記アームを覆って位置付けられ、前記アームを半径方向に圧縮し、前記アームの間に位置付けられた第１の導管の自由端を係止握持し、前記第１の導管の周りに液密シールを生成する第２の位置に移動可能である、アダプタ。
【請求項２】
前記コア内に位置付けられ、第１の端部から第２の端部まで延びているシールをさらに備え、前記シールの第２の端部は、第２の位置において、前記導管の自由端を係合し、それとの液密シールを形成する、請求項１に記載のアダプタ。
【請求項３】
前記シールは、ゴム材料から形成されている、請求項２に記載のアダプタ。
【請求項４】
前記コアの第１の端部上に位置付けられているルアーをさらに備え、前記ルアーは、前記第２の位置において、前記第１の導管に流動的に接続されている開口部を有する、請求項１に記載のアダプタ。
【請求項５】
前記ルアーは、第２のデバイスの第２の導管を係合し、前記第１の導管と前記第２の導管との間に液密接続を提供するように構成され、寸法決定されている、請求項１に記載のアダプタ。
【請求項６】
前記第２のデバイスは、気管支内超音波吸引デバイスである、請求項５に記載のアダプタ。
【請求項７】
前記コアは、その外側壁を通って延びているスロットを含み、前記スロットは、前記カラーの内側壁上に形成されている歯を係合し、前記カラーが前記コアからスライドして外れることを防止するように構成されている、請求項１に記載のアダプタ。
【請求項８】
前記スロットは、前記カラーの軸方向移動を制限する、請求項７に記載のアダプタ。
【請求項９】
前記アームは、半径方向拡張構成に付勢されている、請求項１に記載のアダプタ。
【請求項１０】
前記カラーの直径は、前記第１および第２の端部から中央部分へ先細になる、請求項９に記載のアダプタ。
【請求項１１】
前記中央部分における直径は、前記半径方向拡張構成における前記アームの直径より小さい、請求項１０に記載のアダプタ。
【請求項１２】
前記第１および第２のアームは、前記中心軸に向かって延び、前記第１の導管の自由端上に形成されている陥凹を係合するように構成されている半径方向当接部を含む、請求項１に記載のアダプタ。
【請求項１３】
気管支内超音波吸引デバイスの第１の導管を生検デバイスの第２の導管に接続するためのアダプタであって、
中心軸に沿って第１の端部から第２の端部まで延びている円筒形コアであって、前記第１の端部は、液密シールを用いて前記気管支内超音波吸引デバイスの第１の導管を係合するように構成されているルアーを含み、前記第２の端部は、第１および第２のアームを画定する第１および第２のスロットを含み、前記アームは、前記中心軸に向かって半径方向に圧縮可能であり、および前記中心軸から離れるように半径方向に拡張可能であり、前記第２の端部は、前記生検デバイスの第２の導管の端部を係合するようにサイズおよび寸法決定されている、円筒形コアと、
前記コア内に位置付けられ、第１の端部から第２の端部まで延びているシールであって、前記シールの第２の端部は、動作構成において前記第２の導管の自由端を係合する、シールと、
前記コアを覆ってスライド可能に受け取られているカラーと
を備え、
前記カラーは、第１の端部から第２の端部まで延び、前記カラーの第２の端部が前記アームから軸方向に離されている第１の位置から、前記カラーの一部が前記アームを覆って位置付けられ、前記アームを半径方向に圧縮し、前記第２の導管の自由端を係止握持し、前記第２の導管の位置を前記シールに対して係止する第２の位置に移動可能である、アダプタ。
【請求項１４】
前記コアは、その外側壁を通って延びているスロットを含み、前記スロットは、前記カラーの内側壁上に形成されている歯を係合し、前記カラーが前記コアからスライドして外れることを防止するように構成されている、請求項１３に記載のアダプタ。
【請求項１５】
前記スロットは、前記カラーの軸方向移動を制限する、請求項１３に記載のアダプタ。
【請求項１６】
前記アームは、前記半径方向拡張構成に付勢されている、請求項１３に記載のアダプタ。
【請求項１７】
気管支内超音波吸引デバイスの第１の導管を生検デバイスの第２の導管に取り付ける方法であって、
前記第１の導管の自由端を円筒形コアの第２の端部内に位置づけることであって、前記第２の端部上に形成されている第１および第２のアームは、前記自由端を取り囲み、前記円筒形コアは、中心軸に沿って、第１の端部から前記第２の端部まで延び、前記第１および第２のアームは、前記第２の端部上に形成されている第１および第２のスロットによって画定される、ことと、
前記第２の端部に向かって前記コアを覆い、かつ前記第１および第２のアームを覆ってカラーをスライドさせ、前記第１および第２のアームが前記中心軸から離れるように角度付けられている第１の半径方向拡張構成から、前記アームが半径方向内向きに角度付けられている第２の半径方向圧縮構成に前記第１および第２のアームを押しつけることにより、前記第１の導管の自由端を係止握持することと
を含む、方法。
【請求項１８】
前記第２の導管の自由端を前記コアの第１の端部上に提供されているルアーに接続し、前記コアとの液密シールを形成するステップをさらに含む、請求項１７に記載の方法。
【発明の詳細な説明】
【技術分野】
【０００１】
（優先権主張）
本願は、米国仮特許出願第６１／７０５，３３３号（２０１２年９月２５日出願、名称「Ｂｉｏｐｓｙ  Ｃｈａｎｎｅｌ  Ａｔｔａｃｈｍｅｎｔ  Ａｄａｐｔｏｒ」）を基礎とする優先権を主張する。上記出願の明細書は、参照により本明細書に組み込まれる。
【背景技術】
【０００２】
気管支鏡検査法は、診断および治療目的のために、気道の内側を可視化する技法であり、鼻または口を通して、患者の気道内に気管支鏡を挿入し、医師が、異常に関して気道を検査することを可能にすることを含む。気管支内超音波デバイスが、さらなる情報を提供し、診断を補助するために使用され得る。これらの超音波デバイスにおいて提供される生検チャネルのサイズおよび寸法は、製造業者毎に変動する。現在、気管支内超音波デバイスは、別の医療デバイスとのその係合を可能にする、ルアー接続およびフランジ接続のうちの１つを伴って形成される。特定の超音波デバイスの生検チャネルとの使用のために設計された医療デバイスは、必ずしも、任意の他の超音波デバイスの生検チャネルと互換性があるわけではない。したがって、医師は、治療手技における使用のために、超音波デバイスの１つの特定のモデルのみに制限される。治療デバイスと任意の好適な超音波デバイスとの間の確実な液密接続を提供することができるアダプタの必要性がある。
【発明の概要】
【課題を解決するための手段】
【０００３】
本発明は、中心軸に沿って第１の端部から第２の端部まで延びている円筒形コアであって、第２の端部は、第１および第２のアームを画定する第１および第２のスロットを含み、アームは、中心軸に向かって、かつ中心軸から離れるように半径方向に拡張可能であり、第２の端部は、生検デバイスの第１の導管の端部を係合するようにサイズおよび寸法決定されている、円筒形コアと、コアを覆ってスライド可能に受け取られているカラーであって、カラーは、第１の端部から第２の端部まで延び、カラーの第２の端部がアームから軸方向に離されている第１の位置から、カラーの一部がアームを覆って位置付けられ、アームを半径方向に圧縮し、アームの間に位置付けられた第１の導管の自由端を係止握持し、第１の導管の周りに液密シールを生成する第２の位置に移動可能である、カラーとを含む、内視鏡デバイスのためのアダプタに関する。
【図面の簡単な説明】
【０００４】
本発明のいくつかの実施形態は、一例として、付随の図面を参照して、以下に説明される。
【図１】図１は、本発明の例示的実施形態による、アダプタの第１の斜視図を示す。
【図２】図２は、図１のアダプタの第２の斜視図を示す。
【図３】図３は、図１のアダプタの第１の断面図を示す。
【図４】図４は、図１のアダプタの第２の断面図を示す。
【図５】図５は、図１のアダプタの第１の部分透視図を示す。
【図６】図６は、図１のアダプタの第２の部分透視図を示す。
【発明を実施するための形態】
【０００５】
本発明は、以下の説明および添付の図面（類似要素は、同一の参照番号を用いて参照される）を参照して、さらに理解され得る。本発明は、内視鏡デバイスに関し、より具体的には、気管支内超音波吸引（「ＥＢＵＳ」）または気管支内超音波微細針吸引（「ＥＢＵＳ  ＦＮＡ」）のためのデバイスに関する。特に、本発明は、公知の生検導管の遠位端に取り外し可能に取り付け可能であり、ＥＢＵＳデバイスの導管との生検導管の係合を可能にするアダプタに関する。例示的実施形態では、本発明によるアダプタは、気管支内超音波内視鏡検査生検導管の遠位端に取り外し可能に取り付けられ、ＥＢＵＳデバイスの導管への確実な漏出防止接続を提供する。本発明による例示的アダプタは、第１の端部を伴う略円筒形コアを備え、第１の端部は、その円周の周りに分散された複数のスロットを含み、複数のスロットは、複数のアームを画定する。本構成は、アームが、アダプタの中心軸に向かって半径方向内向きに屈曲すること、およびそこから離れるように半径方外向きに屈曲することを可能にする。例示的実施形態では、アームは、半径方向拡張構成に向かって付勢されている。コア内に嵌入されたゴムシールは、アダプタの中心軸に沿って延びる導管を含む。動作構成において、その中に位置付けられたゴムシールを伴うコアは、アームが生検導管の外側表面を覆って置かれるまで、生検導管の遠位端を覆って設置される。カラーが、次いで、第１の端部に向かってコアを覆い、かつアームの少なくとも一部を覆ってスライドされ、アームを生検導管を覆って半径方向圧縮構成に押しやり、生検導管を損傷させずに、それとの液密シールを形成する。第１の端部と反対のアダプタの第２の端部は、ＥＢＵＳデバイスの導管の取り付けを可能にするように構成されるルアーを含む。以下により詳細に説明されるように、種々のルアー継手のいずれかが、任意の公知のデバイスとの生検導管の取り付けを可能にするために使用され得る。例示的実施形態は、生検デバイスと接合するアダプタを具体的に説明するが、本発明のアダプタは、第１の導管と同一の寸法または異なる寸法を有する第２の導管を有する第２の医療デバイスへの取り付けを必要とする第１の導管を有する任意の医療デバイスとともに利用され得ることは、当業者によって理解されるであろう。
【０００６】
図１−５に示されるように、本発明の例示的実施形態によるアダプタ１００は、中心縦軸１０８に沿って、第１の端部１０４から第２の端部１０６まで延びるコア１０２を備えている。コア１０２は、ＡＢＳまたは成形可能プラスチックから形成され得るが、他の材料もまた、本発明の範囲から逸脱することなく、使用され得る。チャネル１１０が、コア１０２を通して延び、第１および第２の端部１０４、１０６に第１および第２の開口部１１２、１１４をそれぞれ有する。第１の開口部１１２は、それを通して、細長いシャフト、例えば、ＥＢＵＳデバイス（図示せず）の挿入を可能にするように寸法決定される。以下により詳細に説明されるように、ＥＢＵＳデバイスは、当業者によって理解されるであろうように、ルアー接続を介して、アダプタに固定され得る。第２の開口部１１４は、生検カニューレ１０の遠位端１２を覆ったコア１０２のスライド可能挿入を可能にするように寸法決定される。コア１０２の第２の端部は、コア１０２の第２の端部を複数の偏向可能アーム１１８に分離する複数のスロット１１６を含む。例示的実施形態では、コア１０２は、第２の端部１０６の円周にわたって均一に分散され、６つのアーム１１８を画定する６つのスロット１１６を含むが、より多いまたは少ない数のアーム１１８が、第２の開口部１１４の最大および最小直径を増加または減少させるために使用され得る。アーム１１８は、半径方向拡張構成に向かって付勢されており、その構成に、アーム１１８は、中心軸１０８から半径方向外向きに移動させられる。以下により詳細に説明されるように、アーム１１８の少なくとも一部を覆った第２の端部１０６に向かってのカラー１３０の移動は、アームを半径方向内向きに引き込み、開口部１１４の直径を減少させる。本実施形態によるアーム１１８の各々の内側壁は、以下により詳細に説明されるように、カニューレ１０の遠位端１２におけるフランジ１４を係止係合するように構成された当接部１２０を含む。
【０００７】
シール１２２が、チャネル１１０内に位置付けられ、シール１２２の外径は、コア１０２内のシール１２２の回転または軸方向移動を防止するために、チャネル１１０の直径と実質的に同一である。シール１２２は、例えば、ゴムまたはシリコーン等の好適圧縮性材料から形成され得る。シール１２２の開口部１２４は、中心縦軸１０８と実質的に整合させられる。例示的実施形態では、シール１２２は、当業者が理解するであろうように、第１および第２の構成要素１２２ａ、１２２ｂを含み、その製造を補助し得る。しかしながら、別の実施形態では、シール１２２は、単一体構成を有し得る。シール１２２は、アダプタ１００に取り付けられた生検カニューレ１０およびＥＢＵＳデバイス（図示せず）へ／から流動する流体の漏出を防止する。具体的には、以下の例示的方法に関してより詳細に説明されるように、シール１２２は、動作構成において生検カニューレ１０に直接接触し、生検カニューレ１０の周囲を密閉する。
【０００８】
コア１０２の外側表面を覆ってスライド可能に搭載されるカラー１３０は、略円筒形であり、第１の端部１３２から第２の端部１３４まで延びる。第１および第２の端部１３２、１３４におけるカラー１３０の直径は、これらの場所におけるコア１０２の半径方向圧縮を防止および／または制限するように選択される。第１および第２の端部１３２、１３４間に位置するコアの中央部分１３６は、アーム１１８を覆って位置付けられた場合、アーム１１８を半径方向に圧縮するように選択された減少した直径を有する。例示的実施形態では、カラー１３０の直径は、第１および第２の端部１３２、１３４ではより大きく、第１および第２の端部１３２、１３４から、中央部分１３６の減少した直径に向かって先細になる。したがって、アーム１１８を覆う方向Ａへのカラー１３０の移動は、カニューレ１０の遠位端１２を覆ってアーム１１８を徐々に圧縮する。例示的実施形態では、カラー１３０は、実質的に硬い材料（例えば、射出成形プラスチック等）から形成される。代替実施形態では、カラー１３０は、アーム１１８を半径方向に圧縮するために十分に硬いが、アーム１１８によってそれに与えられる反力下で変形するために十分に可撓性である実質的に可撓性の材料から形成され得る。具体的には、カラー１３０は、アーム１１８によってカラー１３０に与えられる反力が所定の閾値を超えると、半径方向外向きに撓曲可能である。当業者が理解するであろうように、本構成は、アーム１１８がカニューレ１０を恒久的に損傷させることを防止する一方、依然として、それとの液密シールを維持する。中央部分１３６の直径はまた、アーム１１８が、過剰な力（すなわち、カニューレ１０の能力を超える圧縮力）をカニューレ１０に与えることを防止するように選択される。
【０００９】
本発明の本実施形態によるカラー１３０の内側壁は、カラー１３０がコア１０２から係合解除することを防止するように構成された歯１３８を含む。具体的には、歯１３８は、コア１０２の側壁を通して延びる、細長いスロット（図示せず）を通して延びる。スロット（図示せず）は、軸１０８と平行に延び、第１および第２の端部１０４、１０６で閉鎖される。歯１３８は、スロット（図示せず）の長さに沿ってスライド可能である。
【００１０】
コア１０２の第１の端部１０４は、そこに恒久的に取り付けられたルアー接続１４０を含み、ルアーチャネル１４２は、動作構成において、コア１０２のチャネル１１０に対して開いており、そこに取り付けられたカニューレ１０のチャネル１６に対して開いている。当業者によって理解されるであろうように、ルアー接続１４０は、所望のデバイス（例えば、ＥＢＵＳデバイス）へのその取り付けを可能にするように、所望の形状およびサイズで形成され得る。ルアー接続１４０は、当業者が理解するであろうように、返し、ねじ切り、係止リング等のいずれかを有する、オス型ルアーまたはメス型ルアーコネクタを有し、そこに取り付けられる特定のデバイスの要件に適合し得る。
【００１１】
本発明による例示的方法によると、カラー１３０は、最初は、コア１０２の第１の端部１０４に向かってアーム１１８から離れて位置付けられている。本実施形態では、アーム１１８は、その自然付勢下で、コア１０２の第２の端部１１４の直径が、そこに連結されるカニューレ１０の遠位端１２の直径を上回る拡張構成に移動するように解放される。次いで、アダプタ１００は、遠位端１２が方向Ａにおけるアダプタ１００のさらなる移動を防止するシール１２２を係合するまで遠位端１２を覆って位置付けられる。オペレータは、次いで、コア１０２を遠位端１２に対して保持する力を維持する一方、同時に、そのさらなる移動を防止するスロット（図示せず）の端部との歯１３８の係合まで、カラー１３０を方向Ａにスライドさせる。本発明による例示的アダプタ１００は、オペレータによる片手使用を可能にする。方向Ａへのカラーの移動は、カラー１３０に、アーム１１８に圧縮力を徐々に与えさせ、カニューレ１０の外側表面を把持する半径方向圧縮構成に向かってアームを移動させる。カニューレ１０のフランジ１４とのアーム１１８の当接部１２０の係合は、カニューレ１０がアダプタ１００との係合からスライドして外れることを防止する。ＥＢＵＳデバイス（図示せず）が、次いで、カニューレ１０に対する所望の位置および配向において、ルアー接続１４０に取り付けられ得る。アダプタ１００をカニューレ１０から除去するために、オペレータは、アームにかかる半径方向圧縮力が排除され、アーム１１８が、その付勢された半径方向拡張構成に戻るように解放されるまで、方向Ａと反対の方向にカラーを移動させる。カニューレ１０は、次いで、アダプタ１００から安全に取り外され得る。
【００１２】
例示的実施形態では、カニューレ１０は、ＥＢＵＳデバイスの作業チャネル内の生検チャネルであってもよい。本発明の第１の代替実施形態では、アダプタ１００は、気管支内超音波デバイスの生検ポート内に挿入可能な構造（例えば、ハイポチューブ等）を含み得る。ハイポチューブは、側方負荷が生検デバイスに与えられる場合、ハイポチューブを生検ポートの側壁に接触させるように選択される、長さおよび／または直径を有し得る。具体的には、ハイポチューブ（図示せず）は、ルアー１４０から所定の距離だけ生検チャネル１６内の位置まで延び得る。
【００１３】
本発明の別の代替実施形態では、ルアー１４０は、気管支内超音波デバイスの医師または他のユーザが生検デバイスに大きい側方負荷を与えた場合、アダプタ１００が衝撃吸収材として作用するような様式において、アダプタ１００に取り付けられ得る。一実施形態では、例えば、コア１０２は、シリコーンまたはゴム材料から形成され、そこへの側方負荷の適用下でその変形を可能にし得る。このようなコア１０２の変形は、ルアー１４０への側方負荷の適用を防止する。別の実施形態では、コア１０２は、当業者が理解するであろうように、そこに与えられるいかなる力も吸収するように構成される、可撓性ガスケット（図示せず）を含み得る。
【００１４】
本発明のさらに別の代替実施形態では、アダプタ１００は、アダプタ１００の任意の部分に、動作構成において、カニューレ１０に接触し、それに対するカニューレ１０の回転を防止および／または制限する機械的特徴（例えば、当接部、歯等）を備えている。別の実施形態では、オペレータは、カニューレ１０とシール１２２との間の接触が、その２つを摩擦係合し、シール１２２に対するカニューレ１０の回転を防止することを確実にする。さらに別の実施形態では、高摩擦表面とカニューレ１０との間の接触がその回転を防止するように、アダプタ１００上の高摩擦表面（例えば）に追加するためのエラストマーの第２のショット材を伴う二個取り成形プロセスを使用することによって、回転が防止され得る。
【００１５】
本発明およびその利点が、詳細に説明されたが、添付の請求項によって定義される本発明の精神および範囲から逸脱することなく、種々の変更、代用、および改変が、本明細書に行われることができることを理解されたい。さらに、本願の範囲は、本明細書に説明されるプロセス、機械、製造、組成物、手段、方法、およびステップの特定の実施形態に限定されるように意図されない。当業者が、本発明の開示から容易に理解するであろうように、本明細書に説明される対応する実施形態と実質的に同一の機能を果たす、または実質的に同一の結果を達成する、現在既存または後に開発されるプロセス、機械、製造、組成物、手段、方法、またはステップが、本発明に従って利用され得る。
【００１６】
添付の請求項の広義の範囲から逸脱することなく、本発明の種々の修正および改変が行われることができることは、当業者によって理解されるであろう。これらのうちのいくつかは、前述で論じられており、その他は、当業者に明白であろう。
【図１】
2015534479.tif 000003
【図２】
2015534479.tif 000004
【図３】
2015534479.tif 000005
【図４】
2015534479.tif 000006
【図５】
2015534479.tif 000007
【図６】
2015534479.tif 000008
【国際調査報告】
2015534479.tif 000009
2015534479.tif 000010